(57)【要約】【課題】被写体のプライバシーを保護しつつ撮影された画像を共有することが可能な画像管理装置を提供する。【解決手段】被写体を撮影することにより得られる画像データまたは当該画像データに関連付けられる撮影情報を取得する撮影関連情報取得部と、所定の動物体の動作に関する情報であるログデータを取得するログデータ取得部と、画像データまたは撮影情報と、ログデータと、に基づいて、被写体と動物体との関連性を評価する処理部と、を備える、情報処理装置が提供される。【選択図】図１
2015186447.tif 000002
【特許請求の範囲】
【請求項１】
被写体を撮影することにより得られる画像データまたは当該画像データに関連付けられる撮影情報を取得する撮影関連情報取得部と、
所定の動物体の動作に関する情報であるログデータを取得するログデータ取得部と、
前記画像データまたは前記撮影情報と、前記ログデータと、に基づいて、前記被写体と前記動物体との関連性を評価する処理部と、
を備える、情報処理装置。
【請求項２】
前記撮影情報には当該画像データを生成するための撮影が行われた位置に関する位置情報が含まれており、
前記処理部は、前記位置情報と前記ログデータに含まれる位置情報とに基づいて、前記被写体と前記動物体との関連性を評価する、請求項１に記載の情報処理装置。
【請求項３】
前記処理部は、前記画像データを解析することにより得られた前記被写体の行動の情報と前記ログデータとを比較し、前記被写体と前記動物体との関連性を評価する、請求項１に記載の情報処理装置。
【請求項４】
前記画像データを解析することにより得られた前記被写体の行動の情報には、当該行動が行われた時刻情報が関連付けられている、請求項３に記載の情報処理装置。
【請求項５】
前記画像データに基づく前記被写体の画像と予め登録されている被写体の登録画像とをマッチングする照合部をさらに備え、前記被写体と前記動物体との関連性を評価する、請求項１に記載の情報処理装置。
【請求項６】
前記処理部により前記被写体との関連性が高いと評価された動物体自身または当該動物体の所有者であるユーザの端末へ通知する通知部を備える、請求項１に記載の情報処理装置。
【請求項７】
前記画像データは、ウェブ上に公開されている画像データである、請求項１に記載の情報処理装置。
【請求項８】
ユーザからの画像データの閲覧要求を受けて、当該ユーザ自身または当該ユーザの所有物である動物体が、被写体として含まれる画像データを取得する、画像取得部をさらに備える、請求項１に記載の情報処理装置。
【請求項９】
閲覧要求をしたユーザ自身または当該ユーザの所有物である動物体が被写体として含まれる画像データを、少なくとも当該動物体が含まれる画像データとなるように加工する画像編集部をさらに備える、請求項８に記載の情報処理装置。
【請求項１０】
前記画像データの撮影情報として、取得する画像の利用に応じて設定される撮影モードが含まれており、
前記撮影モードが画像記録用のモードであるとき、当該画像データは、画像データに被写体として含まれる動物体自身または当該動物体の所有者であるユーザのみ閲覧可能とする、請求項８に記載の情報処理装置。
【請求項１１】
撮像部と、
前記撮像部により取得された画像データに関連付けられる撮影情報を取得する撮影情報取得部と、
前記画像データまたは前記撮影情報のうち少なくともいずれか一方を、画像データに含まれる被写体と、動作に関する情報であるログデータが取得されている動物体との関連性を評価する情報処理装置へ送信する通信部と、
を備える、撮影装置。
【請求項１２】
前記撮影情報には、取得する画像の利用に応じて設定される撮影モードが含まれる、請求項１１に記載の撮影装置。
【請求項１３】
前記撮影モードを、当該撮影装置の周囲の人物に視認可能に通知する通知部をさらに備える、請求項１２に記載の撮影装置。
【請求項１４】
動物体の行動に関する情報であるログデータを取得して、画像データに含まれる被写体と前記動物体との関連性を評価する情報処理装置へ送信するログ収集装置と、
前記情報処理装置に対して、ユーザ自身または当該ユーザの所有物である動物体が被写体として含まれる画像データの閲覧要求を送信し、要求した画像データを取得する閲覧装置と、
を含み、
前記閲覧装置は、前記情報処理装置から、前記被写体と前記動物体との関連性の高い画像データを取得する、画像共有システム。
【請求項１５】
被写体を撮影することにより得られる画像データまたは当該画像データに関連付けられる撮影情報を取得すること、
所定の動物体の動作に関する情報であるログデータを取得すること、
前記画像データまたは前記撮影情報と、前記ログデータと、に基づいて、前記被写体と前記動物体との関連性を評価すること、
を含む、情報処理方法。
【請求項１６】
コンピュータを、
被写体を撮影することにより得られる画像データまたは当該画像データに関連付けられる撮影情報を取得する撮影関連情報取得部と、
所定の動物体の動作に関する情報であるログデータを取得するログデータ取得部と、
前記画像データまたは前記撮影情報と、前記ログデータと、に基づいて、前記被写体と前記動物体との関連性を評価する処理部と、
を備える、情報処理装置として機能させる、プログラム。
【発明の詳細な説明】
【技術分野】
【０００１】
本開示は、情報処理装置、撮影装置、画像共有システム、情報処理方法およびプログラムに関する。
【背景技術】
【０００２】
近年、デジタルイメージング機器の急増や情報ネットワークの発達に伴い、プライバシーを保護するための対策の必要性が高まっている。例えば、ユーザは、撮影機能を備えた携帯端末でいつでも容易に撮影することが可能であり、撮影した画像をサーバ上にアップロードして当該画像を複数人で共有することも容易に行うこともできる。しかし、写真を撮られたくない被写体も共有された画像内に含まれる可能性もある。【０００３】
そこで、特許文献１には、周囲の撮像装置によって被写体が撮影された場合、撮像された画像に含まれる被写体自身の顔を、被写体側の制御によってぼかす技術が開示されている。
【先行技術文献】
【特許文献】
【０００４】
【特許文献１】米国特許公開第２００４／０２０２３８２号明細書
【発明の概要】
【発明が解決しようとする課題】
【０００５】
上記特許文献１では、被写体となった場合に画像を修正させる信号を撮像装置へ発信するモジュールをユーザが持つ必要があり、当該モジュールからの信号を受信可能な撮像装置に対してのみ画像を修正させることができる。しかし、すべての撮像装置がこの信号を受信できるわけではなく、プライバシー対策として十分ではない。【０００６】
そこで、本開示では、被写体のプライバシーを保護しつつ撮影された画像を共有することが可能な、新規かつ改良された情報処理装置、撮影装置、画像共有システム、情報処理方法およびプログラムを提案する。
【課題を解決するための手段】
【０００７】
本開示によれば、被写体を撮影することにより得られる画像データまたは当該画像データに関連付けられる撮影情報を取得する撮影関連情報取得部と、所定の動物体の動作に関する情報であるログデータを取得するログデータ取得部と、画像データまたは撮影情報と、ログデータと、に基づいて、被写体と動物体との関連性を評価する処理部と、を備える、情報処理装置が提供される。【０００８】
また、本開示によれば、撮像部と、撮像部により取得された画像データに関連付けられる撮影情報を取得する撮影情報取得部と、画像データまたは撮影情報のうち少なくともいずれか一方を、画像データに含まれる被写体と、動作に関する情報であるログデータが取得されている動物体との関連性を評価する情報処理装置へ送信する通信部と、を備える、撮影装置が提供される。【０００９】
さらに、本開示によれば、動物体の行動に関する情報であるログデータを取得して、画像データに含まれる被写体と動物体との関連性を評価する情報処理装置へ送信するログ収集装置と、情報処理装置に対して、ユーザ自身または当該ユーザの所有物である動物体が被写体として含まれる画像データの閲覧要求を送信し、要求した画像データを取得する閲覧装置と、を含み、閲覧装置は、情報処理装置から、被写体と動物体との関連性の高い画像データを取得する、画像共有システムが提供される。【００１０】
また、本開示によれば、被写体を撮影することにより得られる画像データまたは当該画像データに関連付けられる撮影情報を取得すること、所定の動物体の動作に関する情報であるログデータを取得すること、画像データまたは撮影情報と、ログデータと、に基づいて、被写体と動物体との関連性を評価すること、を含む、情報処理方法が提供される。【００１１】
さらに、本開示によれば、コンピュータを、被写体を撮影することにより得られる画像データまたは当該画像データに関連付けられる撮影情報を取得する撮影関連情報取得部と、所定の動物体の動作に関する情報であるログデータを取得するログデータ取得部と、画像データまたは撮影情報と、ログデータと、に基づいて、被写体と動物体との関連性を評価する処理部と、を備える、情報処理装置として機能させる、プログラムが提供される。【００１２】
本開示によれば、他人により撮影された画像データから、自分が被写体として含まれている画像データを特定することが可能となる。
【発明の効果】
【００１３】
以上説明したように本開示によれば、被写体のプライバシーを保護しつつ撮影された画像を共有することが可能な画像管理装置、撮影装置および画像共有システムが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係る画像共有システムの概略構成を示す説明図である。
【図２】同実施形態に係る画像共有システムの一構成例を示す機能ブロック図である。
【図３】画像データに付加されるメタデータの一例を示す説明図である。
【図４】同実施形態に係る撮影端末の一例として、カメラおよびインジケータを備えるアイウェア端末の構成例を示す説明図である。
【図５】同実施形態に係る撮影端末の一例として、カメラおよびディスプレイを備えるアイウェア端末の構成例を示す説明図である。
【図６】インジケータ、ディスプレイによる撮影モードの通知例を示す説明図である。
【図７】カメラモードにおいて静止画像を撮影したときのインジケータ、ディスプレイによる通知例を示す説明図である。
【図８】過去の撮影モードを示すインジケータを備えるアイウェア端末の一構成例を示す説明図である。
【図９】同実施形態に係るログ収集端末でのログデータ生成処理の流れを示す説明図である。
【図１０】同実施形態に係る撮影端末における撮影モードの通知処理を示すフローチャートである。
【図１１】報知情報を受信した端末の報知情報通知画面の一例を示す説明図である。
【図１２】報知情報を受信した端末の報知情報通知画面の他の一例を示す説明図である。
【図１３】あるユーザがアイウェア端末を装着して行動しているときに、表示部を通して見ている情報の一例を示す説明図である。
【図１４】同実施形態に係る画像管理サーバによる被写体特定処理を示すフローチャートである。
【図１５】同実施形態に係る画像管理サーバによる閲覧端末への画像提供処理の一例を示すフローチャートである。
【図１６】画像管理サーバによる画像加工処理の例を示す説明図である。
【図１７】画像管理サーバによりウェブ上に公開された画像データを閲覧端末へ提供する処理の一例を示すフローチャートである。
【図１８】同実施形態に係る撮影端末のハードウェア構成の一例を示すハードウェア構成図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．概要
２．システム構成
２．１．撮影端末
（１）機能構成
（２）撮影モードの通知機能
（ａ．インジケータやディスプレイによる通知）
（ｂ．静止画像撮影時における撮影モードの通知）
（ｃ．未来や過去の撮影モードの通知）
２．２．ログ収集端末
２．３．画像管理サーバ
２．４．閲覧端末
３．処理の流れ
３．１．撮影端末による撮影時の処理
（１）画像データ取得処理
（２）撮影モード通知処理（撮影者側）
（３）撮影モード通知処理（被写体側）
３．２．ログ収集端末によるログデータ生成処理
３．３．画像管理サーバによる被写体特定処理
３．４．閲覧端末への画像提供処理
４．まとめ
５．変形例
６．ハードウェア構成例
【００１７】
＜１．概要＞
まず、図１を参照して、本開示の一実施形態に係る画像共有システム１の概略構成について説明する。図１は、本実施形態に係る画像共有システム１の概略構成を示す説明図である。
【００１８】
本実施形態に係る画像共有システム１は、あるユーザにより撮影された画像を撮影者以外のユーザに提供するシステムである。画像共有システム１は、図１に示すように、例えば、撮影端末１００と、ログ収集端末２００と、画像管理サーバ３００と、閲覧端末４００とにより構成される。撮影端末１００、ログ収集端末２００および閲覧端末４００と、画像管理サーバ３００とは、ネットワークを介して通信可能である。
【００１９】
撮影端末１００は、撮像部（図２の符号１１０）を備え、画像を撮影可能な端末である。撮影端末１００としては、例えば、デジタルカメラ１０１や、ユーザが装着して使用するウェアラブルカメラ１０３、自転車や自動車等の車両に搭載して車外を撮影する車載カメラ１０５等がある。あるいは、監視カメラ等の固定カメラ１０７や、撮像機能を備える飛行デバイス（ドローン）１０９やロボット、スマートフォン等を撮影端末１００としてもよい。撮影端末１００により取得された画像データは、静止画像であってもよく動画像であってもよい。また、画像とともにマイク等により音声データを取得してもよい。このような撮影端末１００により取得された画像データは、撮影された位置や時間等のメタデータとともに画像管理サーバ３００へ送信される。
【００２０】
ログ収集端末２００は、動物体の行動に関連する情報を収集する端末である。本開示において、動物体とは、人間のみならず、例えばペット等の動物やロボット等の動く物体を意味する。ログ収集端末２００は、動物体の行動に関連する情報を収集するために、例えば、加速度センサやＧＰＳ、撮像装置、ジャイロセンサ等の情報取得機能を備えている。このようなログ収集端末２００としては、例えば図１に示すように、スマートフォン等のような情報通信端末２０１や、ペンダント型やリストバンド型等のウェアラブルデバイス２０３、２０５等を用いてもよい。ログ収集端末２００にて検出された各情報は、画像管理サーバ３００へ送信される。
【００２１】
画像管理サーバ３００は、撮影端末１００により撮影された画像データを管理し、閲覧要求に応じて画像データを提供するサーバである。また、画像管理サーバ３００は、閲覧要求を受けて提示する画像データを判別するために、ログ収集端末２００からユーザの行動に関する情報を取得する。画像管理サーバ３００は、動物体の行動に関する情報を解析し、画像データに含まれる被写体との関連性を評価して、ユーザや当該ユーザの所有物である動物体が被写体として写っている画像データを特定する。画像管理サーバ３００は、閲覧端末４００からユーザ自身やユーザの所有物が写っている画像の閲覧要求を受けると、当該ユーザやユーザの所有物が被写体として写っている画像データを提示する。
【００２２】
閲覧端末４００は、画像管理サーバ３００の管理する画像データを閲覧するための端末である。閲覧端末４００としては、例えば図１に示すように、パーソナルコンピュータ４０１や、タブレット端末４０３やスマートフォン４０５等の情報通信端末、テレビ４０７等のように、画像表示機能を備える装置を用いることができる。
【００２３】
なお、撮影端末１００、ログ収集端末２００、および閲覧端末４００は、同一端末であってもよく、異なる端末であってもよい。
【００２４】
このように、画像共有システム１では、撮影者が撮影端末１００により撮影した画像データが画像管理サーバ３００にアップロードされ、閲覧端末４００からの閲覧要求に応じて画像管理サーバ３００から閲覧端末４００へ画像データが送信される。この際、画像管理サーバ３００は、ユーザ自身やユーザの所有物が写っている画像の閲覧要求を受けると、当該ユーザやユーザの所有物が被写体として写っている画像データを提示する。すなわち、各ユーザは、他人により撮影された自身の画像データを受け取ることができ、意図せず撮影された自身の画像を他人に公開しないようにすることも可能となる。以下、画像共有システム１の詳細について説明していく。
【００２５】
＜２．システム構成＞
図２に、本実施形態に係る画像共有システム１の一構成例を示す。なお、図２では、画像共有システム１に関連する機能部を示しているが、撮影端末１００、ログ収集端末２００、画像管理サーバ３００および閲覧端末４００は、図示されていない他の機能部を備えてもよい。
【００２６】
［２．１．撮影端末］
（１）機能構成
撮影端末１００は、被写体を撮影して静止画像または動画像を取得する装置であり、撮像部１１０と、撮影情報処理部１２０と、通信部１３０とを備える。撮影端末１００としては、上述したように、デジタルカメラやウェアラブルカメラ、車載カメラ、固定カメラ、撮像機能を備える飛行デバイス（ドローン）やロボット、スマートフォン等を用いることができる。
【００２７】
撮像部１１０は、撮像素子やレンズ等から構成される。撮像素子としては、例えばＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を用いてもよい。レンズを介して撮像素子により取得された画像データは、撮影情報処理部１２０へ出力される。
【００２８】
撮影情報処理部１２０は、撮像部１１０により取得された画像データに、当該画像データを取得したときの撮影位置や撮影時間等の撮影情報を含むメタデータを付加する。図３にメタデータの一例を示す。図３では、音声データとともに取得された画像データ５１２に、メタデータ５１４が付加されている。メタデータ５１４に含まれる情報には、例えば、撮影日時や位置情報がある。画像データ５１２が動画像である場合には、メタデータ５１４に、画像データの時間位置とともにその時間位置における位置情報を複数含んでもよい。さらに、メタデータ５１４には、方角やチルト角、高度等の情報を含めてもよい。撮影情報処理部１２０は、このようなメタデータ５１４を画像データ５１２に付加し、通信部１３０へ出力する。
【００２９】
通信部１３０は、ネットワークを介して接続された端末やサーバ等と情報の送受信を行う機能部である。撮影端末１００の通信部１３０は、撮影情報処理部１２０から入力された画像データおよびメタデータを画像管理サーバ３００へ送信する。
【００３０】
（２）撮影モードの通知機能
また、本実施形態に係る撮影端末１００は、被写体となるユーザのプライバシーを保護する観点から、撮影者の周囲に対して撮像部１１０の機能状態（以下、「撮影モード」ともいう。）を通知するようにハードウェア面を構成してもよい。以下では、撮影端末１００の一例としてアイウェア端末について説明するが、それ以外にも、図１に示したように、ペンダント型やリストバンド型のウェアラブル端末等、普段からセンサ利用をするカメラデバイス等も同様の観点で構成してもよい。
【００３１】
（ａ．インジケータやディスプレイによる通知）
撮影端末１００の一例としてウェアラブルカメラの構成例を図４〜図８に示す。図４〜図８に示すウェアラブルカメラは、アイウェア端末１０であって、装着時にユーザの眼の前に位置する表示部を備えるフロント部１２と、フロント部１２の左右にそれぞれ設けられる支持部１４Ｒ、１４Ｌとからなる。支持部１４Ｒ、１４Ｌを頭部側部に位置させ、フロント部１２を鼻に固定することで、ユーザはアイウェア端末１０を装着することができる。
【００３２】
表示部は、映像を投影する表示ユニット（図示せず。）によって各種情報が表示される。本実施形態に係る表示部は、例えば光学透過型の表示パネルであって、外界の視界を遮らないため、ユーザは外界と表示部に表示される内容とを自然に見ることができる。なお、表示部の表示方式は、光学透過型に限定されず、外界の様子を撮影して表示部に映し出すビデオ透過型等であってもよい。
【００３３】
本実施形態に係るアイウェア端末１０は、例えば表示部に、外界を撮影するカメラ１５と、撮影モードを示すインジケータ１６とを備えている。カメラ１５は外界を撮影するカメラである。アイウェア端末１０では、ユーザが視線や音声等によってカメラ１５を操作して撮影することも可能であり、カメラ１５を撮りっぱなしの状態にしてユーザが見ている外界を撮影し続けることも可能である。このように連続した撮影においては撮影されたくないユーザも撮影される可能性が高くなり、撮影されるユーザのプライバシーを考慮する必要がある。
【００３４】
そこで、アイウェア端末１０は、カメラ１５の機能状態に応じて、インジケータ１６を変化させることで、撮影者がどのような意図で画像データを取得しようとしているかを被写体側に通知している。撮影モードとしては、画像記録用にカメラ１５を動作させるカメラモードと、それ以外の用途（例えばセンシング用途等）の撮影モードとが設定される。
【００３５】
例えば、撮影モードとして、省電力状態であるカメラオフモード（第１モード）、撮影者は画像閲覧不可であり、センシング用としてカメラ１５を動作させるセンサモード（第２モード）、カメラモード（第３モード）の３つを設定してもよい。あるいは、カメラオフモード（第１モード）、被写体以外のユーザは自由に閲覧できない画像を撮影する閲覧不可モード（第２モード）、および被写体以外のユーザも自由に閲覧可能な画像を撮影する閲覧可能モード（第３モード）を設定してもよい。この場合、さらに、第２モードと第３モードの中間のモードとして、撮影された画像の閲覧を制限するプロテクトを施すプロテクトモードを設定してもよい。また、閲覧不可モードで撮影された画像は、例えば、センシング用のように内部処理にのみ用いる画像であってもよく、センシング用として用いた画像は利用後削除するものとしてもよい。
【００３６】
なお、センサモードは、例えば画像認識に使用するための画像取得を行うモードである。具体的には、特定物体や一般物体を認識するために、カメラ画角に含まれる物体に関する関連情報（例えば、広告やクーポン等）を提示したり、カメラ１５により取得された画像から認識される文字の翻訳情報を提示したりする際に利用される。あるいは、名前忘れの防止などのように、画像から検出される特徴量により行われる個人認識結果に応じた情報を提示したり、ＳＬＡＭ等のようにＡＲのためのセンシングとして利用されることも考えられる。また、センサモードは、画像認識以外にも利用可能であり、例えば、ディスプレイの明るさ調整に利用する環境（光量）センシング用として用いることも可能である。
【００３７】
このような撮影モードにおいて、レリーズやシャッタトリガを第２モードから第３モードへ遷移させるトリガとして、例えば、端末でのボタン操作やタッチパネルでのタッチ操作、ウィンク等の動作、視線、音声等の、ユーザによる切り替え操作を用いてもよい。あるいは、第２モードと第３モードとの間での遷移トリガとして、カメラ１５の認識結果を利用してもよい。例えば、カメラ１５により人物の顔を認識している場合は第３モード（カメラモード）、顔を認識していない場合は第２モード（センサモード）としてもよい。また、ＧＰＳ等で検知された位置情報や、加速度センサやジャイロセンサ等により検知された姿勢センサ情報、脈拍や発汗、体温、脳波等の生体センサ情報に基づいて、撮影モードの切り替えを判定するようにしてもよい。
【００３８】
このような撮影モードを被写体となるユーザに通知するインジケータ１６は、図４に示すように、撮影者の周囲にいる人物が、インジケータ１６の表示を認識可能な位置に設けられ、例えば撮影者の顔の正面側にある表示部に設けられている。図４に示すインジケータ１６は、第１のインジケータ１６ａと、第２のインジケータ１６ｂとから構成される。各インジケータ１６ａ、１６ｂの点灯状態に応じて、カメラ１５の撮影モードを表し、周囲の人物に通知する。
【００３９】
インジケータ１６による通知は、例えば、発光色や点滅パターン、あるいはこれらの組み合わせにより行ってもよい。例えば、撮影モードとしてカメラモード、センサモードおよびカメラオフモードの３つが設定されているとき、カメラオフモードでは発光なし、センサモードでは第１のインジケータ１６ａのみを点灯、カメラモードでは第２のインジケータ１６ｂのみを点灯させる。このとき、第１のインジケータ１６ａは青色発光、第２のインジケータ１６ｂは赤色発光のように、第１のインジケータ１６ａと第２のインジケータ１６ｂとの発光色を相違させることで、撮影者の周囲にいる人物が撮影モードを認識し易くすることができる。
【００４０】
あるいは、図５に示すように、ディスプレイ１７をインジケータとしてもよい。ディスプレイ１７は、例えば液晶ディスプレイや有機ＥＬディスプレイ等から構成することができる。ディスプレイ１７には、例えば“ｓｅｎｓｉｎｇ  ｏｎｌｙ”や“ｒｅｃｏｒｄｉｎｇ”等といった文字や記号により、撮影モードを表示してもよい。あるいは、カメラ１５により撮影している画像をディスプレイ１７に表示させてもよい。
【００４１】
例えば、撮影モードとして上述のカメラモード、センサモードおよびカメラオフモードの３つが設定されているときの、インジケータ１６およびディスプレイ１７の表示例を図６に示す。例えば、カメラ１５が省電力状態のカメラオフモードの場合には、インジケータ１６ａ、１６ｂであればともに点灯させず、ディスプレイ１７であれば非表示とすることで、カメラ１５の機能状態を表してもよい。また、例えば、センシングのみのためにカメラ１５を動作させるセンサモードの場合には、第１のインジケータ１６ａのみを点灯させたり、ディスプレイ１７に“ｓｅｎｓｉｎｇ  ｏｎｌｙ”と表示とさせたりすることで、カメラ１５の機能状態を表してもよい。また、例えば、画像記録用にカメラ１５を動作させるカメラモードの場合には、第２のインジケータ１６ｂのみを点灯させたり、ディスプレイ１７に“ｒｅｃｏｅｄｉｎｇ”と表示とさせたりすることで、カメラ１５の機能状態を表してもよい。
【００４２】
上述の他、撮影モードを通知するインジケータとしては、撮影モードに応じた音声を出力するスピーカ等を用いることが考えられる。また、撮影モードの通知は、人間が知覚可能なものに限られない。例えば、電波、音波、光等を用いたビーコン信号として通知し、当該信号を受信した装置にて信号に応じたアラートを出力するようにしてもよい。アラートは、例えばランプの点灯状態や表示装置の表示内容、振動等により表される。このような撮影モードの通知は、ユーザの視聴を妨げずに行うことが可能であり、例えば映画舘や美術館等において有効である。
【００４３】
なお、アイウェア端末１０は、表示部やカメラ１５、インジケータ１６、ディスプレイ１７の他、例えば、ジャイロセンサや、端末を装着したユーザの視線を検出する視線センサ、タッチセンサ、マイク、スピーカ、ＧＰＳ等を備えていてもよい。
【００４４】
（ｂ．静止画像撮影時における撮影モードの通知）
ここで、図６の表示例では、動画像を撮影する場合には、インジケータ１６やディスプレイ１７は所定時間連続して撮影モードに応じた表示を行うため、撮影者の周囲の人物は、撮影端末１００の撮影モードを認識しやすい。一方、静止画像を撮影する場合は、カメラモードやセンサモードにおいては撮影（露光→記録）中のみ撮影モードを通知することになる。そうすると、インジケータ１６やディスプレイ１７の表示は一瞬だけになってしまうため、撮影者の周囲の人物は、撮影端末１００の撮影モードを認識し難い。そこで、静止画像を撮影する場合には、インジケータ１６やディスプレイ１７の表示を撮影後も所定時間（例えば数分程度）維持し続けるようにしてもよい。
【００４５】
図７に、静止画像を撮影するときの、インジケータ１６やディスプレイ１７の表示例を示す。図７に示すように、まず、カメラ１５により静止画像を撮影する際に、インジケータ１６やディスプレイ１７に、カメラモードであることを通知する表示が行われる。例えば、第２のインジケータ１６ｂのみが点灯されたり、ディスプレイ１７に“ｒｅｃｏｒｄｉｎｇ”と表示されたりする。
【００４６】
その後、撮影自体は短時間で終わり、カメラモードから例えばカメラオフモードとなるが、撮影時点から所定時間が経過するまでは、インジケータ１６やディスプレイ１７には、撮影が行われたことを通知する表示がなされる。例えば、第２のインジケータ１６ｂの点灯を継続して行なったり、ディスプレイ１７の表示を“ｒｅｃｏｒｄｉｎｇ”から“ｒｅｃｏｒｄｅｄ”へと変更した後所定時間表示させたりする。これにより、撮影端末１００による撮影が直近で行われたことを周囲に通知することができる。撮影時点から所定時間経過した後は、インジケータ１６やディスプレイ１７の表示を消し、非表示とする。
【００４７】
このように表示することで、静止画像の撮影時にもカメラ１５の撮影モードを撮影者の周囲の人物が認識しやすくすることができる。
【００４８】
（ｃ．未来や過去の撮影モードの通知）
また、撮影端末１００のインジケータ１６やディスプレイ１７において、現在の撮影モードだけでなく、未来や過去の撮影モードについても表示するようにしてもよい。
【００４９】
例えば、撮影端末１００がこれからカメラモードとなることを予告する予告通知を行うようにしてもよい。予告通知を行うことで、被写体となった場合に自分の画像が他人に閲覧されることを事前に周囲の人物に知らせることができる。具体的には、カメラオフモードまたはセンサモードからカメラモードとなるトリガが検出されると、カメラモードとなる前に予告通知を行う撮影予告モードとなり、その後、カメラモードとなる。撮影予告モードでは、例えば、第２のインジケータ１６ｂを点滅させたり、間もなく記録が開始される旨を表す音を出力したり、ディスプレイ１７に予告モードであることを示す表示等が行われる。
【００５０】
このような予告通知を受けた人は、撮影者に対して撮影拒否や撮影禁止であることを伝えることができる。例えば、撮影予告モードにおいて、音声やジェスチャ等により撮影拒否を表す入力が検出された場合には、カメラモードへの遷移を禁止するようにしてもよい。
【００５１】
このような通知は、これからカメラモードとなる撮影予告モード以外にも、カメラモードによる撮影を一旦保留にする記録保留モードにも適用可能である。上述の撮影予告モードを設けることにより、所望のシャッタチャンスを逃してしまう恐れがある。そこで、カメラオフモードまたはセンサモードからカメラモードとなるトリガが検出されると、撮影を開始させるが、撮影された画像データをメモリ等に記録するか否かは後から決定することの可能な記録保留モードとなるようにしてもよい。この場合、記録保留モード中に撮影拒否である旨の入力があったときには、記録保留モード中にメモリに格納される画像データは記録されずに削除されるようにしてもよい。
【００５２】
一方、過去の撮影モードの通知では、現時点から所定時間（例えば１０分程度）前までの撮影モードを通知する。これにより、撮影者の周囲の人物が撮影の瞬間を見逃したとしても、あとからカメラモードで撮影したことを撮影者に指摘することが可能となる。
【００５３】
過去の撮影モードの通知方法としては、例えば、図８に示すように、アイウェア端末１０の一部にインジケータ１８を設け、インジケータ１８の時間軸方向に沿って撮影モードを表示する方法がある。インジケータ１８は周囲の人物が視認し易い位置に設けられる。例えば、図８のインジケータ１８は、フロント部１２から支持部１４Ｌに渡って設けられている。インジケータ１８は、例えば複数の発光素子を一列に配列されたものであってもよく、液晶ディスプレイや有機ＥＬディスプレイ等の表示装置であってもよい。
【００５４】
インジケータ１８の長手方向（図８では、途中の屈曲部を含む、フロント部１２から支持部１４Ｌまでの方向）を時間軸方向として、一側（例えばフロント部１２側端部）から他側（例えば支持部１４Ｌ側端部）までの間で所定時間を表している。例えば、フロント部１２側の端部が現時点を表し、支持部１４Ｌ側の端部が所定時間前を表すようにする。このようなインジケータ１８により、過去のどの時点でどの撮影モードであったかを表示する。撮影モードの種類は、例えば発光色や点灯・点滅状態、文字や記号等の表示によって示すことができる。
【００５５】
例えば、カメラモードによる静止画像の撮影を第１の表示色で表し、カメラモードによる動画像の撮影を第２の表示色で表すとする。図８の例では、第１の表示色で示されている領域１８ａの位置（例えば５分前）において静止画像が撮影され、第２の表示色で示されている領域１８ｂの区間（例えば７〜９分前）において動画像が撮影されたことを示している。これにより、撮影者の周囲の人物が撮影の瞬間を見逃したとしても、あとからカメラモードで撮影されたことを認識することが可能となり、撮影者に指摘することが可能となる。
【００５６】
［２．２．ログ収集端末］
図２の説明に戻り、次に、ログ収集端末２００について説明する。ログ収集端末２００は、画像共有システム１のサービスを受けるユーザまたは当該ユーザの所有物である動物体が日常保持している端末であり、動物体の位置や動き等の情報を時々刻々取得し、時間情報と関連付けてログとして記録し続ける。ログ収集端末２００は認証機能を備えており、取得した情報は認証した動物体の行動に関する情報として利用される。ログ収集端末２００は、図２に示すように、各種センサ２１０と、行動認識部２２０と、ログデータ生成部２３０と、ログＤＢ２４０と、通信部２５０とからなる。また、図９に、本実施形態に係るログ収集端末２００でのログデータ生成処理の流れを示す。
【００５７】
各種センサ２１０は、動物体の位置や動き等、動物体の行動に関する動き情報を取得する検出部である。各種センサ２１０としては、例えば、加速度センサ２１２やジャイロセンサ２１４、イメージャ２１６、その他のセンサ等があり、加速度、角速度、撮像データ、音声データ、生体情報等の測定データが取得される。このような各種センサ２１０により取得される測定データはログ収集端末２００の所持（装着）位置により変わるが、動物体の行動種別は取得された測定データから認識可能である。
【００５８】
例えば、ポケットやカバン等に入れて計測する場合でも動物体が装着して計測する場合でも、歩いている、走っている、止まっている、自転車に乗っている、電車に乗っている、等の動物体の行動種別を認識ができる。また、動物体がログ収集端末２００を装着している位置により、取得可能な測定データも異なる。例えば、人間の腕や足に装着するタイプの端末であれば手足の動きを取得でき、頭に装着するタイプであれば頭の動きを記録できる。さらに、動物体自身あるいは外部環境の音声や、動物体自身あるいは外部環境の撮影画像、各種生体情報等を測定データとして取得してもよい。
【００５９】
各種センサ２１０により取得された測定データは、行動認識部２２０またはログデータ生成部２３０のうち少なくともいずれか一方に出力される。
【００６０】
行動認識部２２０は、各種センサ２１０により取得された測定データに基づいて、動物体の行動認識を行う。行動認識部２２０は、周知の行動認識技術を用いて測定データより動物体の行動を解析する。解析される動物体の行動としては、例えば、歩いている、走っている、自転車に乗っている、電車に乗っている、食べている、止まっている、等がある。行動認識部２２０により解析された動物体の行動は、その行動を行った時間とともに行動認識データとしてログデータ生成部２３０へ出力される。
【００６１】
ログデータ生成部２３０は、ログデータを生成する機能部である。ログデータ生成部２３０は、ログ収集端末２００を保持しており、ログ収集端末２００により認証された動物体に固有のユーザＩＤ５２２と、ログデータ５２４とを関連付けて、ログＤＢ２４０に記録する。ログデータ５２４は、動物体の行動を特定することの可能な情報である。例えば、ログデータ５２４は、各種センサ２１０によりセンシングされた生のデータ（測定データ）であってもよく、行動認識部２２０により認識された行動認識データであってもよい。
【００６２】
ログＤＢ２４０は、ユーザＩＤ５２２が関連付けられたログデータ５２４を記憶する記憶部である。ログＤＢ２４０に記録されたユーザＩＤ５２２およびログデータ５２４は、通信部２５０を介して所定のタイミングで画像管理サーバ３００へ送信される。
【００６３】
通信部２５０は、ネットワークを介して接続された端末やサーバ等と情報の送受信を行う機能部である。ログ収集端末２００の通信部２５０は、所定のタイミングで、ログＤＢ２４０に記録されたユーザＩＤ５２２およびログデータ５２４を画像管理サーバ３００へ送信する。これらのデータは、例えば、所定時間間隔や、画像管理サーバ３００との通信が利用可能になった時、画像共有システム１のサービス利用開始時等のタイミングで画像管理サーバ３００へ送信される。
【００６４】
なお、本実施形態に係るログ収集端末２００では、各種センサ２１０により取得された測定データに基づき、ログ収集端末２００内で行動認識処理を行ったが、本開示はかかる例に限定されない。例えば、画像管理サーバ３００が行動認識処理機能を備えている場合には、測定データをログデータとして画像管理サーバ３００に送信して、画像管理サーバ３００内で行動認識処理を実行してもよい。あるいは、ログ収集端末２００と画像管理サーバ３００とを仲介する装置が行動認識処理機能を備えている場合には、測定データを当該装置に送信して行動認識処理を実行した後、当該装置から行動認識データを画像管理サーバ３００へ送信するようにしてもよい。ログ収集端末２００と画像管理サーバ３００とを仲介する装置としては、例えばスマートフォン等がある。
【００６５】
［２．３．画像管理サーバ］
画像管理サーバ３００は、撮影端末１００からアップロードされた画像データに含まれる被写体を特定し、被写体自身あるいは被写体の所有者であるユーザに対して、被写体となっている画像データがあることを通知する。画像管理サーバ３００は、図２に示すように、通信部３１０と、情報取得部３１５と、画像解析部３２０と、被写体特定部３３０と、照合部３４０と、ユーザ情報ＤＢ３５０と、画像ＤＢ３６０と、画像取得部３７０と、画像編集部３８０とを備える。
【００６６】
通信部３１０は、ネットワークを介して接続された端末と情報の送受信を行う機能部である。画像管理サーバ３００の通信部３１０は、撮影端末１００からのメタデータが付加された画像データや、ログ収集端末２００からのユーザＩＤと関連付けられたログデータ等を受信し、情報取得部３１５へ出力する。また、通信部３１０は、閲覧端末４００からの要求を受信し、要求に適合する画像データを閲覧端末４００に提供する。
【００６７】
情報取得部３１５は、画像データに含まれる被写体とログデータが取得されている動物体との関連性を評価する処理部において処理される情報を取得する。すなわち、情報取得部３１５は、撮影関連情報取得部、ログデータ取得部として機能する。情報取得部３１５は、通信部３１０が受信したメタデータが付加された画像データや、ログ収集端末２００からのユーザＩＤと関連付けられたログデータ等を取得して、画像解析部３２０へ出力する。
【００６８】
画像解析部３２０は、撮影端末１００からアップロードされた画像データおよびメタデータに基づいて、当該画像データに含まれる被写体の行動や挙動を特定する。画像解析部３２０は、画像データ中に含まれる人物や動物、物体等の被写体を抽出し、抽出した被写体の行動や挙動を、メタデータに含まれる撮影時間や位置情報等に基づき特定する。画像解析部３２０は、抽出した各被写体と、行動・挙動、行動時刻とを関連付けて解析データとし、被写体特定部３３０へ出力する。解析データは、記憶部（図示せず。）に記録しておいてもよい。
【００６９】
被写体特定部３３０は、解析データとログ収集端末２００から送信されたログデータとを比較し、被写体と動物体との関連性を評価する。被写体特定部３３０は、解析データの行動時刻と同時刻、あるいはこの時刻を含むログデータについて、解析データの行動・挙動とログデータとして取得した測定データまたは行動認識データとを比較し、画像データに含まれる被写体と動物体との関連性を評価する。被写体特定部３３０は、その評価結果に基づき、被写体がどの程度動物体と関連しているかを判定し、被写体となっている動物体を特定する。すなわち、被写体特定部３３０は、被写体と動物体との関連性の評価によって、これらが同一の対象であることを特定することもでき、これらの関連性を表す評価値を算出することも可能である。なお、上述の画像解析部３２０および被写体特定部３３０は、画像データまたは撮影情報と、ログデータと、に基づいて、被写体と動物体との関連性を評価する処理部として機能する機能部である。
【００７０】
照合部３４０は、被写体特定部３３０により特定された画像データ中の被写体の画像と、ユーザ情報ＤＢ３５０に予め登録されているユーザの登録画像とを照合する。照合部３４０は、被写体の画像が照合されると、被写体に関連付けられたユーザＩＤを、画像データの時刻および被写体が画像データ中に表示されている表示エリア情報（位置情報、サイズ等）を関連付けて、画像ＤＢ３６０に記録する。なお、照合部３４０は、画像ＤＢ３６０に画像データを記録した際、記録した画像データに関連付けられたユーザＩＤのユーザへ、通信部３１０を介して画像データが画像管理サーバ３００にアップロードされたことを通知するようにしてもよい。
【００７１】
ユーザ情報ＤＢ３５０は、画像共有システム１を利用するユーザに関する情報を記憶する記憶部である。ユーザ情報ＤＢ３５０には、例えば、画像共有システム１を利用するユーザに対して固有に付与されるユーザＩＤや、ユーザの顔画像データ、ユーザのペットや自動車等の所有物画像データ等の動物体の画像データが関連付けて記憶されている。ユーザ情報ＤＢ３５０に記憶されているユーザの顔画像データや所有物画像データは、照合部３４０による照合の際に用いられるものであり、照合精度を高めるため、これらの画像は複数登録されているのがよい。ユーザ情報ＤＢ３５０の情報は、例えばユーザが画像共有システム１の利用登録をする際に入力した情報であり、登録された情報はユーザの要請等に応じて、適宜追加、更新可能である。
【００７２】
画像ＤＢ３６０は、照合部３４０により照合された被写体を含む画像データが、ユーザＩＤ毎に、時刻や表示エリア情報とともに関連付けて記憶されている記憶部である。画像ＤＢ３６０に記憶されている画像データは、閲覧端末４００からの閲覧要求を受けて画像取得部３７０により取得され、対応するユーザに提供される。
【００７３】
画像取得部３７０は、閲覧端末４００からの閲覧要求を受けて、閲覧要求を行ったユーザのユーザＩＤと関連付けられた画像データを画像ＤＢ３６０から抽出し、閲覧端末４００へ送信する。画像取得部３７０は、画像ＤＢ３６０から抽出した画像データを画像編集部３８０に編集させた後、閲覧端末４００へ送信するようにしてもよい。
【００７４】
画像編集部３８０は、画像取得部３７０が画像ＤＢ３６０から抽出した画像データを編出する。画像編集部３８０は、例えば、ユーザあるいはユーザの所有物のうち少なくともいずれかが含まれている時間範囲を画像データから切り出し、ユーザに関連する画像データのみをユーザに提供するようにする。
【００７５】
［２．４．閲覧端末］
閲覧端末４００は、画像管理サーバ３００からユーザ自身やユーザの所有物等が写っている画像の提供を受け、閲覧するための端末である。閲覧端末４００は、図２に示すように、入力部４１０と、リクエスト部４２０と、通信部４３０と、表示処理部４４０と、表示部４５０とからなる。
【００７６】
入力部４１０は、ユーザが閲覧端末４００を操作するための各種情報を入力するための操作部であり、例えば、タッチパネルやキーボード、ボタン等を用いることができる。ユーザは、入力部４１０を用いて、例えば、画像共有システム１のサービスへのログイン情報の入力や、画像管理サーバ３００へユーザやユーザの所有物等が写っている画像の提供を要求するリクエスト情報を送信する操作入力、提供された画像の表示選択等を行う。
【００７７】
リクエスト部４２０は、リクエスト情報を送信する操作入力を受けて、リクエスト情報を生成し、通信部４３０を介して画像管理サーバ３００へ送信する。リクエスト情報は、画像共有システム１のサービスを受けるユーザのユーザＩＤを含む情報である。リクエスト情報には、さらに提供される画像を特定するために、例えば場所や時間等の検索キーを含んでもよい。
【００７８】
通信部４３０は、ネットワークを介して接続された端末やサーバ等と情報の送受信を行う機能部である。閲覧端末４００の通信部４３０は、リクエスト部４２０から入力されたリクエスト情報を画像管理サーバ３００へ送信する。また、通信部は、リクエスト情報に基づき画像管理サーバ３００から提供される画像データを受信し、表示処理部４４０へ出力する。
【００７９】
表示処理部４４０は、画像管理サーバ３００から提供される画像データを表示部４５０に表示させる。表示処理部４４０は、提供された画像データが複数ある場合には、各画像データのサムネイル等を作成し、サムネイルを配列表示した画像データ一覧を表示部４５０に表示させてもよい。また、画像管理サーバ３００から提供された画像データが１つのときや、画像データ一覧から１つの画像データが選択されたりしたときには、表示処理部４４０は、当該画像データを画面に合わせて大きく表示させるようにしてもよい。
【００８０】
表示部４５０は、情報を表示するために設けられ、例えば液晶ディスプレイや有機ＥＬディスプレイ等を用いることができる。表示部４５０には、表示処理部４４０により表示処理された画像データ等が表示される。
【００８１】
以上、本実施形態に係る画像共有システム１の一構成例について説明した。
【００８２】
＜３．処理の流れ＞
次に、図１０〜図１７に基づいて、本実施形態に係る画像共有システム１の処理の流れを説明する。
【００８３】
［３．１．撮影端末による撮影時の処理］
（１）画像データ取得処理
まず、撮影端末１００は、図１に示すように、撮像部１１０により静止画像や動画像を画像データとして取得する。そして、図３に示すように、撮影情報処理部１２０により、取得した画像データに撮影された位置や時間等のメタデータが付加された後、通信部１３０を介して画像管理サーバ３００へ送信される。画像データは所定のタイミングで画像管理サーバ３００へ送信され、蓄積されていく。
【００８４】
ここで、撮影端末１００は、図５等に示したように、被写体となるユーザのプライバシーを保護する観点から、撮影者の周囲に対して撮像部１１０（図５等のカメラ１５に相当。）の機能状態（撮影モード）を通知するようにしてもよい。撮影モードとして、例えば、第１モード（カメラオフモード）、第２モード（センサモード、閲覧不可モード）、および第３モード（カメラモード、閲覧可能モード）を設定可能である。これらの撮影モードの切り替えは、撮影端末１００でのモード切替操作やカメラ１５で撮影している画像の認識結果、位置情報、姿勢センサ情報、生体センサ情報等に基づき行われる。
【００８５】
（２）撮影モード通知処理（撮影者側）
撮影端末１００は、このような撮影モードの切り替えに対応して、撮影端末１００に設けられたインジケータ１６（図４参照）やディスプレイ１７（図５参照）等に、撮影者の周囲の人物に撮影モードを通知する表示を行う。撮影モードの通知処理は、撮影端末１００の制御部（図示せず。）により、例えば図１０に示す判定処理に基づいて行われる。すなわち、撮影端末１００の制御部は、撮像部１１０の撮影モードの設定を判定し（Ｓ１００）、各撮影モードに応じてインジケータ１６（図４参照）やディスプレイ１７（図５参照）等の表示制御を行う（Ｓ１１０〜Ｓ１３０）。
【００８６】
例えば、第１モード（カメラオフモード）であれば、インジケータ１６やディスプレイ１７を非表示とし、インジケートなしとする（Ｓ１１０）。また、第２モード（センサモード、閲覧不可モード）であれば、インジケータ１６やディスプレイ１７を予め設定されているインジケート１の表示パターンを発効する（Ｓ１２０）。第３モード（カメラモード、閲覧可能モード）であれば、インジケータ１６やディスプレイ１７を予め設定されているインジケート２の表示パターンを発効する（Ｓ１３０）。
【００８７】
インジケート１、インジケート２の表示パターンは異なるものであればよい。例えば、図４に示すようなインジケータ１６であれば、インジケート１では第１のインジケータ１６ａを発光させ、インジケート２では第２のインジケータ１６ｂを発光させるようにしてもよい。また、例えば図５に示すようなディスプレイ１７であれば、インジケート１では“ｓｅｎｓｉｎｇ  ｏｎｌｙ””と表示させ、インジケート２では“ｒｅｃｏｒｄｉｎｇ”と表示させるようにしてもよい。
【００８８】
（３）撮影モード通知処理（被写体側）
一方で、撮影端末１００が図１０に示した処理によって、撮影端末１００の周囲の人物は撮影端末１００に表示された撮影モードに関する表示を見て、それを認識することができる。しかし、撮影端末１００の周囲の人物が常に周囲を気にしながら行動するには限界があり、自身が被写体となっていることを認識できないことも考えられる。そこで、例えば、周囲にある撮影端末１００が第３モード（カメラモード、閲覧可能モード）にて撮影を行っている場合には、被写体となり得るユーザが保持している端末によりその旨の通知（以下、「報知情報」ともいう。）を受けるようにしてもよい。報知情報を受信する端末としては、例えば、ヘッドマウントディスプレイ等のウェアラブル端末やスマートフォン等を用いることができる。
【００８９】
報知情報は、例えば、当該撮影端末１００の位置情報を少なくとも含む情報であり、さらに撮影時間情報、撮影モード、画角（ズーム、撮影方向）等の情報を含んでもよい。撮影端末１００は、所定の距離内（例えば半径１０ｍ以内）にいるユーザの保持する端末に対して、報知情報を発信し、撮影状態である撮影端末１００が近くにあることを通知する。あるいは、撮影端末１００の撮影範囲に入ったと判断されたユーザにのみ、報知情報を発信するようにしてもよい。報知情報を受信した端末は、その旨をユーザに提示する。
【００９０】
報知情報を受信した端末は、報知情報に基づいて、例えば表示部に撮影状態である撮影端末１００の位置等を表示し、ユーザに通知する。例えば、図１１に、報知情報を受信した端末の報知情報通知画面２０の一例を示す。図１１に示す例では、報知情報の通知を受けたユーザの位置と、撮影状態である撮影端末１００の位置とを示している。例えば報知情報の通知を受けたユーザの位置がユーザオブジェクト２１として示され、撮影端末１００の位置が撮影端末オブジェクト２２（２２Ａ、２２Ｂ）として示される。図１１の例では、ユーザの左側前方と右側後方とに撮影状態である撮影端末１００が存在していることになる。
【００９１】
また、図１１に示すように、撮影端末オブジェクト２２（２２Ａ、２２Ｂ）とともに、各撮影端末１００の画角を表す画角オブジェクト２３（２３Ａ、２３Ｂ）を表示するようにしてもよい。これにより、ユーザが撮影端末１００の撮影範囲内にいるか否かを認識することが可能となる。あるいは、図１２に示すように、撮影端末オブジェクト２２、画角オブジェクト２３と合わせて、この撮影端末１００が撮影している（あるいはその位置で撮影した）画像データ２４を表示させるようにしてもよい。これにより、撮影端末１００が撮影している対象をより正確に認識することができる。また、この撮影端末１００の周囲の人物が保持する端末に撮影端末１００が撮影した画像が通知されるため、盗撮抑制にもつながる。
【００９２】
このように、報知情報通知画面２０に表示された情報は、撮影端末１００が撮影状態でなくなったとき、あるいは撮影が行われてから所定時間経過後に、非表示とするようにしてもよい。この際、報知情報通知画面２０に表示された情報が時間の経過とともに徐々に薄くなって消えるように非表示としてもよい。
【００９３】
なお、図１１、図１２の報知情報通知画面２０には、各種オブジェクトのみが表示されているが、本開示はかかる例に限定されず、例えば報知情報通知画面２０に地図を表示させ、地図上の位置に対応するように各種オブジェクトを表示させてもよい。これにより、ユーザは、撮影状態である撮影端末１００の位置をより正確に認識することができる。
【００９４】
また、撮影端末１００が第３モード（カメラモード、閲覧可能モード）で撮影した画像を強制的に公開させるようにしてもよい。すなわち、撮影端末１００が直近で撮影した画像を、他の端末から確認できるようにする。撮影した画像を他人に見られるため、盗撮抑制を期待できる。このような画像の提供は、例えば画像管理サーバ３００により行われる。
【００９５】
例えば、図１３に、あるユーザがアイウェア端末を装着して行動しているときに、表示部を通して見ている情報３０の一例を示す。情報３０において、例えば人物３Ａ、３Ｂは、そこに存在する人物である。そして、人物３Ａ、３Ｂが撮影した画像３１Ａ、３１Ｂが表示部に表示されている。画像３１Ａ、３１Ｂは、対応する人物３Ａ、３Ｂに関連付けるように、例えばＡＲ（Ａｕｇｍｅｎｔｅｄ  Ｒｅａｌｉｔｙ）的に人物３Ａ、３Ｂの頭上に表示される。
【００９６】
画像３１Ａ、３１Ｂとしては、１または複数の画像（例えば、３枚の画像３１ａ、３１ｂ、３１ｃ）が表示される。画像３１Ａ、３１Ｂはフル画像でなくともよく、ブラー、モザイク等の処理をして加工した画像のみを表示させてもよい。また、画像３１Ａ、３１Ｂは、例えば人物３Ａ、３Ｂが直近所定時間（例えば１０分）の間に撮影した画像であってもよく、現在の位置に最も近い位置で撮影された画像であってもよい。あるいは、撮影された画像の撮影位置および撮影時間に基づき、撮影時間前後の所定時間内に撮影位置から所定範囲内にいたというログのあるユーザにのみ、画像３１Ａ、３１Ｂを表示させるようにしてもよい。これにより、ユーザが気付かない内に被写体となって撮影されていた画像データの存在を認識することが可能となる。このような画像の表示は、撮影してから所定期間経過後（例えば２４時間経過後）には他のユーザが閲覧できないようにしてもよい。
【００９７】
以上、撮影端末１００による撮影時の処理について説明した。
【００９８】
［３．２．ログ収集端末によるログデータ生成処理］
ログ収集端末２００は、画像共有システム１のサービスを受けるユーザが日常保持している端末であり、ユーザの位置や動き等の情報を時々刻々取得し、時間情報と関連付けてログとして記録し続ける。ログ収集端末２００は認証機能を備えており、取得した情報は認証したユーザの行動に関する情報として利用される。
【００９９】
ログ収集端末２００は、図９に示したように、加速度センサ２１２やジャイロセンサ２１４、イメージャ２１６、その他のセンサ等の各種センサ２１０により測定データを取得する。そして、測定データに基づき、行動認識部２２０により行動認識処理を行い、ユーザの行動を解析する。例えば、歩いている、走っている、自転車に乗っている、電車に乗っている、食べている、止まっている、等、解析されたユーザの行動は、その行動を行った時間とともに行動認識データとしてログデータ生成部２３０へ出力される。ログデータ生成部２３０は、認証されたユーザのユーザＩＤとログデータである行動認識データとを関連付けて、ログＤＢ２４０に記録される。記憶されたユーザＩＤおよびログデータは、通信部２５０を介して所定のタイミングで画像管理サーバ３００へ送信される。
【０１００】
［３．３．画像管理サーバによる被写体特定処理］
画像管理サーバ３００は、撮影端末１００およびログ収集端末２００から送信されるデータに基づき、撮影端末１００により撮影された画像データに含まれる被写体と特定する。図１４に、画像管理サーバ３００による被写体特定処理を示す。
【０１０１】
画像管理サーバ３００は、通信部３１０を介して情報取得部３１５が画像データおよびメタデータを取得すると（Ｓ２００）、画像解析部３２０により被写体を特定する画像解析が行われる（Ｓ２０２〜Ｓ２０６）。
【０１０２】
画像解析部３２０は、まず、画像データ中に含まれる人物、あるいは、ペットや自動車等の物体等の動物体を被写体として抽出する（Ｓ２０２）。被写体の抽出は、顔認識技術や物体認識技術により行うことができる。次いで、画像解析部３２０は、抽出された各被写体の行動・挙動を特定する（Ｓ２０４）。各被写体の行動・挙動は、画像データに含まれる被写体を画像解析することで特定することもでき、必要に応じてメタデータを利用して行動・挙動を特定してもよい。各被写体の行動・挙動が特定されると、当該行動・挙動がなされた時刻と対応付けて、解析データとする。解析データは、解析した画像データおよびメタデータと関連付けられており、例えば記憶部（図示せず。）に記憶してもよい。
【０１０３】
一方、画像管理サーバ３００は、情報取得部３１５によりログ収集端末２００からユーザＩＤおよびログデータを取得すると、被写体特定部３３０により、ステップＳ２０６で得られた解析データとの比較を行う。そして、被写体特定部３３０は、被写体との関連性を評価して、被写体と一致する動物体を具体的に特定する（Ｓ２０８〜Ｓ２１２）。なお、本実施形態では、被写体と動物体とが同一であることを被写体と動物体との関連性の評価によって特定するが、本技術においては、被写体と動物体との関連性の評価には、被写体と動物体との関連性を表す評価値を算出することも概念として含まれる。
【０１０４】
被写体特定部３３０は、まず、画像データに付加されたメタデータとログデータとに基づき、これらのデータに含まれている位置情報から、マッチング対象となる動物体候補を抽出する（Ｓ２０８）。画像データおよびログデータは膨大な数となることもあり、動物体候補の絞り込みを行うことで、効率よく被写体を特定することが可能となる。本実施形態では、画像データが取得された位置の近辺にいた動物体が被写体となっている可能性が高いと考えられることから、各データの位置情報に基づいて、画像データの被写体となっている可能性のある動物体を絞り込む。
【０１０５】
次いで、被写体特定部３３０は、解析データの行動・挙動とログデータとを対比し、被写体の動物体候補から行動・挙動の合致する動物体を特定する（Ｓ２１０）。被写体特定部３３０は、例えば、歩いている、走っている等の行動種別や、センサをつけている部位（手首、頭など）の動き、動物体であるユーザ自身や外界の音声や映像、生体情報等について比較する。そして、被写体特定部３３０は、比較の結果、画像データの被写体とログデータが取得されている動物体とが関連する程度を算出する。被写体特定部３３０は、被写体と動物体との関連性を、例えば類似度としてパーセンテージ等の確率的指標で表して定量化してもよい。そして、被写体特定部３３０は、この確率的指標の値に基づき、被写体と動物体とが一致するか否かを判定する。例えば、被写体特定部３３０は、確率的指標が所定の値以上であるとき、比較したログデータの動物体が画像データに含まれる被写体と同一であるとする。
【０１０６】
さらに、被写体特定部３３０により特定された動物体について、照合部３４０による画像によるマッチングが行われ、照合したか否かが判定される（Ｓ２１２）。照合部３４０は、被写体特定部３３０により特定された画像データ中の被写体の画像と、ユーザ情報ＤＢ３５０に予め登録されている動物体の登録画像とを照合する。このように、顔識別を行うことで、ステップＳ２１０にて特定された動物体が被写体と一致する認識精度を高めることができる。ステップＳ２１２にて照合されなかった場合には、ステップＳ２１０にて特定された動物体は被写体ではないと判断し、再びステップＳ２１０の処理を行う。ステップＳ２１０、Ｓ２１２の処理は画像が照合するまで繰り返される。
【０１０７】
そして、ステップＳ２１２にて画像が照合すると、照合部３４０は、登録画像に関連付けられたユーザＩＤを、画像データの時刻およびこの動物体が被写体として画像データ中に表示されている表示エリア情報（位置情報、サイズ等）と関連付けて、画像ＤＢ３６０に記録する（Ｓ２１４）。
【０１０８】
その後、照合部３４０は、画像ＤＢ３６０に記録した画像データに関連付けられたユーザＩＤのユーザへ、当該ユーザまたはユーザが所有する動物体が被写体となっている画像データが画像管理サーバ３００にアップロードされたことを通知する（Ｓ２１６）。
【０１０９】
以上、画像管理サーバ３００による被写体特定処理について説明した。なお、上記説明では、被写体特定処理として、位置情報による被写体である動物体候補の抽出（Ｓ２０８）、行動についてのマッチング（Ｓ２１０）、顔認識によるマッチング（Ｓ２１２）を順に行ったが、本開示はかかる例に限定されない。これらの処理の順序は特に限定されるものではない。また、これら以外の情報に基づきマッチング処理を行ってもよい。
【０１１０】
また、ステップＳ２１６にて被写体となっている画像データが画像管理サーバ３００にアップロードされたことを通知されたユーザや閲覧要求をしたユーザから、提示された画像が正しいか否かについての評価がフィードバックされるようにしてもよい。評価のフィードバックを受けた画像管理サーバ３００は、当該評価に基づいて学習し、ステップＳ２０８〜Ｓ２１２の処理に学習結果を反映させることで、照合精度を向上させることが可能となる。
【０１１１】
［３．４．閲覧端末への画像提供処理］
次に、図１５および図１６に基づいて、画像管理サーバ３００による閲覧端末４００への画像提供処理について説明する。図１５は、画像管理サーバ３００による閲覧端末４００への画像提供処理の一例を示すフローチャートである。図１６は、画像加工処理の例を示す説明図である。
【０１１２】
ユーザは、任意に、または、被写体となっている画像データが画像管理サーバ３００にアップロードされたとき等に、画像データを閲覧する閲覧端末４００を用いて、画像共有システム１のサービスを受けるためのログイン処理を行う。ユーザが画像共有システム１へのログイン情報を入力すると、当該ログイン情報は画像管理サーバ３００へ送信され、ユーザの認証が行われる（Ｓ３００）。認証が成立することで、画像管理サーバ３００は、画像共有システム１のサービスを受けることを要求しているユーザのユーザＩＤを特定できたことになる。
【０１１３】
認証が成立すると、ユーザは、閲覧端末４００から画像管理サーバ３００に対して、検索リクエストを行う（Ｓ３１０）。検索リクエストには、少なくともリクエストするユーザのユーザＩＤが含まれている。ユーザが画像データの取得された期間や場所等を指定して画像データの提供を受けたい場合には、これらを指定する検索キーも合わせて画像管理サーバ３００へ送信される。検索リクエストを受けた画像管理サーバ３００の画像取得部３７０は、検索リクエストに含まれる情報に基づいて、該当する画像データを画像ＤＢ３６０から取得し、閲覧端末４００へ送信する（Ｓ３２０）。
【０１１４】
検索リクエストの結果を受けた閲覧端末４００は、受信した画像データをユーザに提示する。受信した画像データが１つのみであれば、表示処理部４４０は、当該画像データを表示部４５０にそのまま表示させるようにしてもよい。一方、受信した画像データが複数存在する場合には、例えば表示処理部４４０により、各画像データのサムネイルを生成した後、画像データ一覧として表示部４５０に表示させるようにしてもよい。あるいは、画像管理サーバ３００側にて、各画像データのサムネイルのみを閲覧端末４００に送信してもよい。このとき、ユーザは、画像データ一覧から閲覧したい画像データを選択し、画像リクエストとして画像管理サーバ３００に送信する（Ｓ３３０）。画像リクエストには、選択された画像データを特定する画像ＩＤが含まれている。
【０１１５】
画像リクエストを受けた画像管理サーバ３００は、必要に応じて画像編集部３８０により画像データを加工する（Ｓ３４０）。画像編集部３８０は、例えば、選択された画像データが静止画像であれば、当該ユーザまたはユーザの所有物である動物体だけが写っている範囲だけをトリミングしたり、当該動物体以外の人物等をマスクしたりする加工を行い、他のユーザのプライバシーを保護する。また、画像編集部３８０は、選択された画像データが動画像である場合にも同様に、当該動物体の写っている範囲や時間範囲のみをトリミングしたり、他のユーザをマスクしたりしてもよい。
【０１１６】
図１６に、複数の人物が写っている場合の動画像の加工例を示す。図１６に示す例では、所定の再生時間の動画像において、被写体としてユーザＡとユーザＢとが写っているとする。このとき、ユーザＡから閲覧要求があったとする。画像編集部３８０は、例えば、加工例１のように、画像データをユーザＡのみが写っている時間帯のみとなるようにトリミングして、ユーザＡの閲覧端末４００に送信してもよい。あるいは、画像編集部３８０は、加工例２のように、ユーザＡが閲覧端末４００から距離距離（閾値）内にいた時間帯のみが提示されるように画像データをトリミングして、ユーザＡの閲覧端末４００に送信してもよい。
【０１１７】
この際、ユーザＡとともにユーザＢも画像内に写っている時間もある場合には、画像編集部３８０は、ユーザＢについてはマスキングしたり、あるいはユーザＢにユーザＡへの公開許可を得た後、マスキングを解除できるようにしてもよい。他のユーザへ公開許可を求める場合に、閲覧要求しているユーザ以外の人物が多く存在する場合には、すべての人物に公開許可を求めるのは現実的でない。この場合、例えば、その人物が画像データに写っている時間の長さや、表示サイズ等が所定の大きさ以上人物のみに公開許可を求めるようにしてもよい。
【０１１８】
なお、このような画像加工を行うため、画像ＤＢ３６０には、撮影時刻および画像データ中の表示エリアと合わせて映像データと関連付けて、画像データに含まれる被写体のユーザＩＤが記録されている。
【０１１９】
画像編集部３８０により画像加工された画像データは、通信部３１０を介して、閲覧端末４００へストリーミング送信あるいはダウンロードさせる（Ｓ３５０）。こうして送信された画像データを、ユーザは、閲覧端末４００により閲覧することができる。
【０１２０】
以上、画像管理サーバ３００による閲覧端末４００への画像提供処理について説明した。
【０１２１】
＜４．まとめ＞
以上、本実施形態に係る画像共有システム１の構成とその処理について説明した。このような本実施形態に係る画像共有システム１の処理の流れにより、ユーザは、他人が撮影した画像データを閲覧あるいは取得することが可能となる。なお、上述の説明では、撮影端末１００により撮影され、画像管理サーバ３００にアップロードされた画像データは、当該画像データに写っている被写体のユーザが閲覧可能であると説明した。このとき、被写体となっているユーザのプライバシー保護のため、画像データを取得したときの撮影モードに応じて、撮影者自身も閲覧できないようにしてもよい。
【０１２２】
例えば、撮影端末１００の撮影モードが第３モード（カメラモード、閲覧可能モード）である場合には、撮影者が被写体の人物の許可を得ずに撮影していることも考えられる。そこで、第３モードで取得された画像データは暗号化し、撮影者も閲覧できないように画像管理サーバ３００にて管理してもよい。このように画像データを暗号化した際には、画像データを画像管理サーバ３００へアップロードした後は、撮影端末１００の当該画像データは削除されるようにしてもよい。
【０１２３】
＜５．変形例＞
図１５では、画像共有システム１を構成する画像管理サーバ３００にて管理されている画像データを、閲覧端末４００からの閲覧要求に応じて提示する例について説明した。しかし、画像共有システム１のサービスとして、画像管理サーバ３００にて管理されている画像データのみならず、例えばウェブ上に公開されている画像データについても同様に管理してもよい。ウェブ上に公開されている画像データには、位置情報等のメタデータが関連付けられていることがほとんどである。これを利用して、画像管理サーバ３００によりウェブ上に公開された画像データも管理することが可能となる。この場合の処理について、図１７に基づき説明する。図１７は、画像管理サーバ３００によりウェブ上に公開された画像データを閲覧端末４００へ提供する処理の一例を示すフローチャートである。
【０１２４】
まず、図１７に示すように、ユーザは、画像データを閲覧する閲覧端末４００を用いて、画像共有システム１のサービスを受けるためのログイン処理を行う。ユーザが画像共有システム１へのログイン情報を入力すると、当該ログイン情報は画像管理サーバ３００へ送信され、ユーザの認証が行われる（Ｓ４００）。認証が成立することで、画像管理サーバ３００は、画像共有システム１のサービスを受けることを要求しているユーザのユーザＩＤを特定できたことになる。
【０１２５】
認証が成立すると、ユーザは、閲覧端末４００から画像管理サーバ３００に対して、検索リクエストを行う（Ｓ４１０）。検索リクエストには、少なくともリクエストするユーザのユーザＩＤが含まれており、ユーザが画像データの取得された期間や場所等を指定して画像データの提供を受けたい場合には、これらを指定する検索キーも合わせて画像管理サーバ３００へ送信される。このとき、ユーザは、画像管理サーバ３００自体が保持している画像データ以外の、ウェブ上に公開されている画像データについて検索する旨を送信する。
【０１２６】
画像管理サーバ３００は、ウェブサイト６１０、６２０、・・・にアップロードされる画像データを管理している。画像管理サーバ３００は、例えば画像データが管理対象のサイトにアップロードされたとき、当該画像データについて、画像解析を行い、被写体として含まれるユーザを特定する。この処理は、例えば図１４に示す処理に従って行ってもよい。そして、画像管理サーバ３００は、サイト上の画像データを特定する画像ＩＤと、画像のサムネイルと、当該画像データを保持しているサイト名と、被写体として含まれるユーザＩＤとを関連付けて、サイト管理情報として記憶部（図示せず。）に記憶しておく。
【０１２７】
検索リクエストを受けた画像管理サーバ３００の画像取得部３７０は、検索リクエストに含まれる情報に基づいて、サイト管理情報を参照して該当する画像データのサムネイルを閲覧端末４００へ送信する（Ｓ４２０）。
【０１２８】
検索リクエストの結果を受けた閲覧端末４００は、受信した画像データのサムネイルとサイト名をユーザに提示する。ユーザは、提示されたサムネイルから閲覧したい画像データのサムネイルあるいはサイト名を選択し、画像リクエストとして各サイト６１０、６２０、・・・に送信する（Ｓ４３０）。画像リクエストには、選択された画像データを特定する画像ＩＤが含まれている。
【０１２９】
画像リクエストを受けた各サイト６１０、６２０、・・・は、当該画像データを閲覧端末４００へストリーミング送信あるいはダウンロードさせる（Ｓ４４０）。こうしてユーザは、送信された画像データを閲覧端末４００により閲覧することができる。このように、画像管理サーバ３００によってウェブサイト上の画像データも管理することができる。
【０１３０】
＜６．ハードウェア構成例＞
最後に、本実施形態に係る撮影端末１００、ログ収集端末２００、画像管理サーバ３００および閲覧端末４００のハードウェア構成例について説明する。これらの機器は同様に構成することができるため、以下では、撮影端末１００を例として説明する。図１８は、本実施形態に係る撮影端末１００のハードウェア構成を示すハードウェア構成図である。
【０１３１】
本実施形態に係る撮影端末１００は、上述したように、コンピュータ等の処理装置により実現することができる。撮影端末１００は、図１８に示すように、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４ａとを備える。また、撮影端末１００は、ブリッジ９０４と、外部バス９０４ｂと、インタフェース９０５と、入力装置９０６と、出力装置９０７と、ストレージ装置９０８と、ドライブ９０９と、接続ポート９１１と、通信装置９１３とを備える。
【０１３２】
ＣＰＵ９０１は、演算処理装置および制御装置として機能し、各種プログラムに従って撮影端末１００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバスなどから構成されるホストバス９０４ａにより相互に接続されている。
【０１３３】
ホストバス９０４ａは、ブリッジ９０４を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０４ｂに接続されている。なお、必ずしもホストバス９０４ａ、ブリッジ９０４および外部バス９０４ｂを分離構成する必要はなく、１つのバスにこれらの機能を実装してもよい。
【０１３４】
入力装置９０６は、マウス、キーボード、タッチパネル、ボタン、マイク、スイッチおよびレバーなどユーザが情報を入力するための入力手段と、ユーザによる入力に基づいて入力信号を生成し、ＣＰＵ９０１に出力する入力制御回路などから構成されている。出力装置９０７は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置や、スピーカなどの音声出力装置を含む。
【０１３５】
ストレージ装置９０８は、撮影端末１００の記憶部の一例であり、データ格納用の装置である。ストレージ装置９０８は、記憶媒体、記憶媒体にデータを記録する記録装置、記憶媒体からデータを読み出す読出し装置および記憶媒体に記録されたデータを削除する削除装置などを含んでもよい。このストレージ装置９０８は、ハードディスクを駆動し、ＣＰＵ９０１が実行するプログラムや各種データを格納する。
【０１３６】
ドライブ９０９は、記憶媒体用リーダライタであり、撮影端末１００に内蔵、あるいは外付けされる。ドライブ９０９は、装着されている磁気ディスク、光ディスク、光磁気ディスク、または半導体メモリ等のリムーバブル記録媒体に記録されている情報を読み出して、ＲＡＭ９０３に出力する。
【０１３７】
接続ポート９１１は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。また、通信装置９１３は、例えば、通信網５に接続するための通信デバイス等で構成された通信インタフェースである。また、通信装置９１３は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【０１３８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３９】
例えば、盗撮防止という観点では、撮影端末１００の撮影モードについて、周囲の人物からの許可に応じて撮影モードの移行可否を決定するようにしてもよい。例えば、撮影端末１００の周囲の人物が保持する端末から撮影可否を通知する信号を発信し、当該信号を撮影端末１００により受信可能にする。このとき、撮影端末１００は、周囲の人物が保持する端末から撮影ＮＧ信号を受信した場合には、カメラモードへの遷移を不可とするようにしてもよい。あるいは、周囲の人物が保持する端末から撮影ＯＫ信号を受信するまでは、撮影端末１００はカメラモードに遷移できないようにしてもよい。
【０１４０】
このような撮影端末１００の撮影モードの管理は、例えば画像共有システム１の画像管理サーバ３００により行うようにしてもよい。また、撮影端末１００が撮影可能な範囲を、カメラの方向、画角（角度）等のパラメータを設定して予め規定してもよい。このとき、周囲の人物が保持する端末から発信される撮影ＯＫ信号あるいは撮影ＮＧ信号に位置情報を含むようにすることで、例えば、撮影可能な範囲内に撮影ＮＧ信号を発信する人物がいるときには撮影を不可とする、等とすることもできる。
【０１４１】
また、カメラ１５により検出される人物の顔から、撮影許可サインを確認するようにしてもよい。撮影許可サインとしては、例えば、「ＯＫ」との発話やジェスチャ、ユーザの登録画像の認識、笑顔認識等を用いることができる。これにより、例えば撮影端末１００は、撮影許可サインを確認できた場合にのみカメラモードへの遷移を許可し、それ以外の場合は、カメラモードへの遷移を不可としたり、撮影されたフル画像を撮影者が閲覧できないようにプロテクトを掛けたりしてもよい。撮影不可としたりプロテクトを掛ける以外にも、例えば取得された画像データを削除したり、モザイク、ブラー、画質低下等の画像処理により被写体判別不可な程度にフィルタを掛けるようにして、撮影者がこの画像データを自由に閲覧できなくすることができる。
【０１４２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４３】
なお、以下のような構成も本開示の技術的範囲に属する。
（１）
被写体を撮影することにより得られる画像データまたは当該画像データに関連付けられる撮影情報を取得する撮影関連情報取得部と、
所定の動物体の動作に関する情報であるログデータを取得するログデータ取得部と、
前記画像データまたは前記撮影情報と、前記ログデータと、に基づいて、前記被写体と前記動物体との関連性を評価する処理部と、
を備える、情報処理装置。
（２）
前記撮影情報には当該画像データを生成するための撮影が行われた位置に関する位置情報が含まれており、
前記処理部は、前記位置情報と前記ログデータに含まれる位置情報とに基づいて、前記被写体と前記動物体との関連性を評価する、前記（１）に記載の情報処理装置。
（３）
前記処理部は、前記画像データを解析することにより得られた前記被写体の行動の情報と前記ログデータとを比較し、前記被写体と前記動物体との関連性を評価する、前記（１）または（２）に記載の情報処理装置。
（４）
前記画像データを解析することにより得られた前記被写体の行動の情報には、当該行動が行われた時刻情報が関連付けられている、前記（３）に記載の情報処理装置。
（５）
前記画像データに基づく前記被写体の画像と予め登録されている被写体の登録画像とをマッチングする照合部をさらに備え、前記被写体と前記動物体との関連性を評価する、前記（１）〜（４）のいずれか１項に記載の情報処理装置。
（６）
前記処理部により前記被写体との関連性が高いと評価された動物体自身または当該動物体の所有者であるユーザの端末へ通知する通知部を備える、前記（１）〜（５）のいずれか１項に記載の情報処理装置。
（７）
前記画像データは、ウェブ上に公開されている画像データである、前記（１）〜（６）のいずれか１項に記載の画像管理装置。
（８）
ユーザからの画像データの閲覧要求を受けて、当該ユーザ自身または当該ユーザの所有物である動物体が、被写体として含まれる画像データを取得する、画像取得部をさらに備える、前記（１）〜（７）のいずれか１項に記載の情報処理装置。
（９）
閲覧要求をしたユーザ自身または当該ユーザの所有物である動物体が被写体として含まれる画像データを、少なくとも当該動物体が含まれる画像データとなるように加工する画像編集部をさらに備える、前記（８）に記載の情報処理装置。
（１０）
前記画像データの撮影情報として、取得する画像の利用に応じて設定される撮影モードが含まれており、
前記撮影モードが画像記録用のモードであるとき、当該画像データは、画像データに被写体として含まれる動物体自身または当該動物体の所有者であるユーザのみ閲覧可能とする、前記（８）または（９）に記載の情報処理装置。
（１１）
撮像部と、
前記撮像部により取得された画像データに関連付けられる撮影情報を取得する撮影情報取得部と、
前記画像データまたは前記撮影情報のうち少なくともいずれか一方を、画像データに含まれる被写体と、動作に関する情報であるログデータが取得されている動物体との関連性を評価する情報処理装置へ送信する通信部と、
を備える、撮影装置。
（１２）
前記撮影情報には、取得する画像の利用に応じて設定される撮影モードが含まれる、前記（１１）に記載の撮影装置。
（１３）
前記撮影モードを、当該撮影装置の周囲の人物に視認可能に通知する通知部をさらに備える、前記（１２）に記載の撮影装置。
（１４）
動物体の行動に関する情報であるログデータを取得して、画像データに含まれる被写体と前記動物体との関連性を評価する情報処理装置へ送信するログ収集装置と、
前記情報処理装置に対して、ユーザ自身または当該ユーザの所有物である動物体が被写体として含まれる画像データの閲覧要求を送信し、要求した画像データを取得する閲覧装置と、
を含み、
前記閲覧装置は、前記情報処理装置から、前記被写体と前記動物体との関連性の高い画像データを取得する、画像共有システム。
（１５）
被写体を撮影することにより得られる画像データまたは当該画像データに関連付けられる撮影情報を取得すること、
所定の動物体の動作に関する情報であるログデータを取得すること、
前記画像データまたは前記撮影情報と、前記ログデータと、に基づいて、前記被写体と前記動物体との関連性を評価すること、
を含む、情報処理方法。
（１６）
コンピュータを、
被写体を撮影することにより得られる画像データまたは当該画像データに関連付けられる撮影情報を取得する撮影関連情報取得部と、
所定の動物体の動作に関する情報であるログデータを取得するログデータ取得部と、
前記画像データまたは前記撮影情報と、前記ログデータと、に基づいて、前記被写体と前記動物体との関連性を評価する処理部と、
を備える、情報処理装置として機能させる、プログラム。
（１７）
前記通知部は、現時点から所定時間前までの前記撮影モードを通知する、前記（１３）に記載の撮影装置。
（１８）
前記通信部は、当該撮影装置の周囲の人物が保持する端末に対して、画像記録用のモードであることを通知する、前記（１１）〜（１３）のいずれか１項に記載の撮影装置。
（１９）
前記通信部は、当該撮影装置の周囲の人物が保持する端末に対して、当該撮影装置の周囲の人物が存在した位置の近辺で撮影された画像を表示させる、前記（１８）に記載の撮影装置。
【符号の説明】
【０１４４】
１          画像共有システム
１０        アイウェア端末
１６、１８  インジケータ
１７        ディスプレイ
１００      撮影端末
１１０      撮像部
１２０      撮影情報処理部
１３０      通信部
２００      ログ収集端末
２１０      各種センサ
２２０      行動認識部
２３０      ログデータ生成部
２４０      ログＤＢ
２５０      通信部
３００      画像管理サーバ
３１０      通信部
３２０      画像解析部
３３０      被写体特定部
３４０      照合部
３５０      ユーザ情報ＤＢ
３６０      画像ＤＢ
３７０      画像取得部
３８０      画像編集部
４００      閲覧端末
４１０      入力部
４２０      リクエスト部
４３０      通信部
４４０      表示処理部
４５０      表示部
【図１】
2015186447.tif 000003
【図２】
2015186447.tif 000004
【図３】
2015186447.tif 000005
【図４】
2015186447.tif 000006
【図５】
2015186447.tif 000007
【図６】
2015186447.tif 000008
【図７】
2015186447.tif 000009
【図８】
2015186447.tif 000010
【図９】
2015186447.tif 000011
【図１０】
2015186447.tif 000012
【図１１】
2015186447.tif 000013
【図１２】
2015186447.tif 000014
【図１３】
2015186447.tif 000015
【図１４】
2015186447.tif 000016
【図１５】
2015186447.tif 000017
【図１６】
2015186447.tif 000018
【図１７】
2015186447.tif 000019
【図１８】
2015186447.tif 000020
【国際調査報告】
2015186447.tif 000021
2015186447.tif 000022
2015186447.tif 000023
2015186447.tif 000024